(57)【特許請求の範囲】
【請求項１】
グラウンドへの捉え力および牽引力を提供するために使用される、ソールのためのスタッドにおいて、
ａ．  少なくとも第１のスタッド部分と第２のスタッド部分、および
ｂ．  前記第１のスタッド部分と前記第２のスタッド部分を互いに接続する細長い小片状の少なくとも１つの第１の歪み区画であって、前記スタッドがソールに取り付けられ、該ソールを曲げたときに歪む少なくとも１つの第１の歪み区画、
を有してなるスタッド。
【請求項２】
前記第１のスタッド部分と前記第２のスタッド部分が、前記少なくとも１つの第１の歪み区画のみによって互いに接続されていることを特徴とする請求項１記載のスタッド。
【請求項３】
前記第１のスタッド部分と前記第２のスタッド部分が、さらにリッジ部材を通じて互いに接続されていることを特徴とする請求項１記載のスタッド。
【請求項４】
前記少なくとも１つの第１の歪み区画が、前記スタッドが前記ソールに取り付けられている、該ソールの区域の接平面に対して実質的に垂直に延在していることを特徴とする請求項１から３いずれか１項記載のスタッド。
【請求項５】
第２の歪み区画および第３のスタッド部分をさらに含み、前記第２の歪み区画が前記第２のスタッド部分と前記第３のスタッド部分を互いに接続し、前記スタッドが前記ソールに取り付けられ、該ソールが曲げられたときに、前記第２の歪み区画が歪むことを特徴とする請求項１から４いずれか１項記載のスタッド。
【請求項６】
前記少なくとも１つの第１の歪み区画と前記第２の歪み区画が一体成形されていることを特徴とする請求項５記載のスタッド。
【請求項７】
前記第１のスタッド部分と前記第２のスタッド部分および前記少なくとも１つの第１の歪み区画が一体成形されていることを特徴とする請求項１から６いずれか１項記載のスタッド。
【請求項８】
請求項１から７いずれか１項記載のスタッドを少なくとも１つ備えたソール。
【請求項９】
少なくとも１つのスタッド受入手段をさらに備え、該スタッド受入手段が少なくとも１つの第３の歪み区画を含むことを特徴とする請求項８記載のソール。
【請求項１０】
前記第３の歪み区画が、前記スタッド受入手段を超えて前記ソール中に延在することを特徴とする請求項９記載のソール。
【請求項１１】
前記少なくとも１つの第１の歪み区画および前記第３の歪み区画が一体成形されていることを特徴とする請求項９または１０記載のソール。
【請求項１２】
スタッドのない前記ソールの区域に配置された少なくとも１つの第４の歪み区画をさらに備えることを特徴とする請求項８から１１いずれか１項記載のソール。
【請求項１３】
請求項５または６記載のスタッドを少なくとも１つ備えたソールであって、前記ソール、少なくとも１つの前記スタッド、前記第１、第２および第３のスタッド部分および前記少なくとも１つの歪み区画が一体成形されていることを特徴とするソール。
【請求項１４】
請求項８から１３いずれか１項記載のソールを備えたスパイクシューズ。
【発明の詳細な説明】
【技術分野】
【０００１】
本発明は、スパイクシューズのスタッド、ソールおよびスパイクシューズに関する。
【背景技術】
【０００２】
スタッドおよびスパイクシューズ、特にサッカーに使用されるものは、芝生などの軟らかいグラウンドへの良好な捉え力(grip)および牽引力(traction)を提供するために主に使用される。このために、スパイクシューズは、グラウンドに食い込んで、スパイクシューズがグラウンド上で滑るのを防ぐことができるスタッドを備えている。
【０００３】
サッカーおよび他のスポーツにおいて、それぞれの競技場の土壌状態には大きな差がある。これは、それによりグラウンドが軟らかくなる雨などの外的影響のためかもしれない。他方で、グラウンドは、乾ききって非常に硬いかもしれない。さらに、グラウンドの状態は、分野の異なるスポーツで異なるであろう。これらの条件としては、小さな隆起またはより大きな窪みが挙げられるであろう。
【０００４】
したがって、様々なタイプのスタッドおよびスパイクシューズが開発されてきた。スタッドは、一般に、回転対称の形状を有するが、三角形または細長い形状などの様々な形状を有してもよい。スタッドにより、典型的にサッカーや多くの他のスポーツに行われるように、スピードや方向の急激な変化が可能になる。
【０００５】
従来技術には、力の伝達を改善するために開発されたスタッドまたはスパイクシューズ、もしくは様々なグラウンド状態に適合するスタッドまたはスパイクシューズが開示されている。
【０００６】
これらの課題を解決するために、特許文献１には、いくつかのスタッドがバネを介して接続されているスパイクシューズが開示されている。例えば、図３ａは、より大きなスタッドが軟らかいグラウンドに食い込み、最初のスタッドに接続された他のスタッドには、バネを介して力が伝達されないことを示している。他方で、図３ｂは、硬いグラウンドでは、スタッドはソールの方向に押し込まれ、よって、バネが小さなスタッドに力を伝達し、次いで、グラウンドの捉え力を改善するために、小さなスタッドは押し出される。
【０００７】
さらに、特許文献２には、ソールのフォアフット区域に互いに関係なく動くスタッドを備えたソールを有するサッカーシューズが開示されている。このために、スタッドは、分割された要素に取り付けられている。図３を参照のこと。分割された要素はソールの弾性層に取り付けられ、この弾性層は圧力が印加されると伸び、それゆえ、スタッドが動くであろう。
【０００８】
同様に、特許文献３には、ソールの単一セグメントが分割され、したがって、セグメントが独立して動けるスパイク付きソールが開示されている。図２７を参照のこと。
【０００９】
特許文献４には、一片の弾性材料から製造されたスポーツシューズのソールが開示されている。このソールは、ソールから下方に延在する複数のスタッドを備えている。開示されたシューズは、人工芝で良好な捉え力を提供するのに特に有用であり、さらに、人工芝を傷めない。
【００１０】
特許文献５は、移動式コアを含むスタッドに関する。このために、移動式コアは、スタッドに組み込まれ、バネを介して外側に押されるであろう。それゆえ、スタッドは、グラウンドの性質に応じて、グラウンドに入り込むであろう。
【００１１】
特許文献６は、１つのスタッドに加わる力によりソールが変形するかもしれず、これは、シューズを着用する競技者にとって不快であろうという状況に関する。この不快さは、スタッドが１つだけ動くのを妨ぐようにいくつかのスタッドをグループ化することによって低減する。
【００１２】
特許文献７において、軸方向の力を緩衝する課題も対処されている。この中で、競技者の快適さを増すように働く緩衝フック要素が使用されている。
【００１３】
特許文献８もこの問題に対処しており、この文献には保持要素および支持要素からなるスタッドが開示されている。これらの要素の間には中間要素が取り付けられており、この中間要素は、支持要素の弾性動作を支持方向に支持する。
【００１４】
特許文献９も、スタッドを備えたソールを有するスポーツシューズの緩衝を改善することに向けられている。このために、スタッドに角度の付いた本体が取り付けられており、これにより、変形がもたらされ、それゆえ、軸方向ではない力が印加されると緩衝を提供するであろう。
【００１５】
また、特許文献１０には、力を低減させるためにスタッドに取り付けられたいわゆるバンパーの使用が開示されている。スタッドは、バンパーを介してソールに取り付けられている。
【００１６】
特許文献１１は、剛性の異なる区域を有するソールに関する。これにより、足の押し離し(rolling-off)が改善されるであろう。
【００１７】
特許文献１２は、スポーツシューズへのスタッドの取付けに関する。スタッドは、所定の力を超えた場合、怪我を防ぐために、シューズから開放される。
【００１８】
特許文献１３は、履き心地を改善するように働く２つのスタッドのシステムに関する。
【００１９】
特許文献１４は、競技用シューズシステムおよび取外し可能な滑り止め体に関する。この滑り止め体は、下側に下方に突出した略円形のリッジパターンおよび上側に上方に突出したネジ切り軸部を有するディスク形本体を有する。
【００２０】
特許文献１５は、接地基部およびこの接地基部に取り付けられた弾性のシューズの踵係合部を含むシューズの踵支持手段に関する。
【００２１】
特許文献１６は、ソールと、接地する底面および底面に形成された窪みとを有するソールに取り付けられた第１のスタッドを含む、特に人工芝用のスポーツシューズに関する。
【先行技術文献】
【特許文献】
【００２２】
【特許文献１】国際公開第０３／０７１８９３号パンフレット
【特許文献２】英国特許出願公開第２４２５７０６Ａ号明細書
【特許文献３】米国特許第５３８４９７３号明細書
【特許文献４】米国特許第３５９３４３６号明細書
【特許文献５】独国実用新案第２９８０７０８６Ｕ１号明細書
【特許文献６】欧州特許出願公開第１８５７００６Ａ１号明細書
【特許文献７】独国特許第４１２３３０２号明細書
【特許文献８】独国特許第２３１３６４６号明細書
【特許文献９】欧州特許第０３５６６３７Ｂ１号明細書
【特許文献１０】米国特許第５５０５０１２号明細書
【特許文献１１】独国特許出願公開第１９６５２４６２Ａ１号明細書
【特許文献１２】米国特許第５６１７６５３号明細書
【特許文献１３】独国特許出願公開第３４３３３３７Ａ１号明細書
【特許文献１４】米国特許第５９０１４７２号明細書
【特許文献１５】国際公開第２０１０／０１２０４７Ａ１号パンフレット
【特許文献１６】国際公開第２００８／１５２５０２Ａ１号パンフレット
【発明の概要】
【発明が解決しようとする課題】
【００２３】
しかしながら、従来技術において提供された全ての解決策は不完全である。スタッドをソールに取り付けると、取付区域におけるソールの剛性が増加する。このことは、回転対称ではないスタッドに特に当てはまる。そのようなスタッドは、迅速な方向変化のためには回転対称のスタッドよりも適しているであろうが、非対称スタッドは、一般に、より大きい取付区域を有し、これによりその区域におけるソールの剛性が著しく増加してしまう。それゆえ、通常は、シューズの屈曲区域においてはスタッドはシューズに取り付けられず、これにより、捉え力が減少するが、可撓性は増し、履き心地は改善される。別の典型的な実施の形態において、スタッドは屈曲区域に取り付けられており、これにより、捉え力は改善されるが、可撓性は減少してしまう。これにより、履き心地は低下し、また、足は最適に押し離されなくなるので、牽引力も減少するであろう。それゆえ、公知のスパイクシューズは、一般に、良好な牽引力を提供し、ひいては屈曲区域におけるシューズの可撓性が減少するように構築されている。それゆえ、サッカーなどのスポーツに要求される加速などの動作は、競技者にとってより難しくなる。
【００２４】
したがって、本発明の根底にある技術的課題は、良好な牽引力および改善されたソールの可撓性の両方が可能なように、従来技術の欠点を少なくともある程度克服したスタッド、ソールおよびスパイクシューズを提供することにある。
【課題を解決するための手段】
【００２５】
本発明は、第１の実施の形態にしたがい、少なくとも第１のスタッド部分と第２のスタッド部分およびこの第１のスタッド部分と第２のスタッド部分を互いに接続する少なくとも第１の歪み区画を含むソール用スタッドであって、スタッドがソールに取り付けられ、ソールが曲げられたときに、少なくとも１つの第１の歪み区画が歪むものであるスタッドにより、この課題を解決する。
【００２６】
従来技術とは反対に、そのようなスタッドの有益な構造により、ソールの屈曲区域、例えば、母指球と指節骨との間のフォアフット区域にも１つ以上のスタッドを備えたソールを提供することができる。これにより、牽引力、それゆえ、足とグラウンドの間の力の伝達を改善することができる。歪み区画により、スタッドが背側方向のソールの屈曲に少なくともある程度適応することが可能になる。それゆえ、大きな力が加えられた状況でさえ、競技者の快適さは低減しない。特に、足の押し離しにより、ソールが曲がる。それによって、スタッドの最も外側の部分が、内側部分よりも強烈に曲がる。歪み区画を含むことにより、そのような歪みが可能になる。そのような歪み区画がないと、スタッドは剛性であり、これは、従来技術の問題の一因となる。特に、競技者は当人の力をより効率的に使用できるであろう。何故ならば、この有益な手法により、スタッドを足の屈曲区域に配置することができ、その結果、グラウンド状況によりよく適応でき、力の伝達が改善される。本発明は、スタッドの全ての形状に、特に細長い形状や非対称の形状に適している。したがって、好ましいスタッドは、様々な課題に最適化された構成部材を備える。スタッドのスタッド部分は、グラウンドとの要求される捉え力を提供し、したがって、剛性材料から製造することができるが、接続する歪み区画は、スタッドの歪みを可能にすることによって足の押し離しを軽減し、これにより、ソールの曲げに適応できる。しかしながら、実施の形態に応じて、歪み区画は、グラウンドに食い込んでもよい。
【００２７】
ある実施の形態において、第１のスタッド部分と第２のスタッド部分は、少なくとも１つの第１の歪み区画のみによって互いに接続されている。これらのスタッド部分の間には、歪みを防ぐ非弾性区域がないので、この実施の形態により、最大の歪み可撓性が可能になる。さらに、これらのスタッド部分は、スタッド受入手段および／またはソールを介して、少なくとも間接的に互いに接続されている。しかしながら、これには、ソールを曲げたときのスタッドの歪みに影響はない。
【００２８】
別の実施の形態において、第１のスタッド部分と第２のスタッド部分は、リッジ部材を通じて互いに追加に接続されている。第１と第２のスタッド部分を接続すると、屈曲可撓性が低下するが、スタッドをより安定な構造にすることができる。あるスタッド、スタッドの位置またはある目的について、このことは、最大の屈曲可撓性よりも重要であろう。例えば、ソールの先端および／または踵で剛性のより強いスタッドが有益であるかもしれない。さらに、スタッドは一体に形成することができ、数少ない構成部材から製造されるので、リッジ部材により製造が容易になる。その上、使用する場合に応じて、歪みを低下させたり、完全停止を形成することもできる。
【００２９】
ある実施の形態において、少なくとも１つの第１の歪み区画は、ソールの表面に対して４５度から９０度の角度をなす。歪み区画を所定の角度に配置することにより、特定の状況に適応することができる。例えば、あるスタッドは、本発明によるスタッドの有益な性質を十分に利用するために、歪み区画の勾配を必要とする特定の負荷を経験するかもしれない。
【００３０】
ある実施の形態によれば、第１の歪み区画は、スタッドがソールに取り付けられているソールの区域の接平面に対して実質的に垂直に延在する。これにより、足が背の方向に曲げられた場合、スタッド、それゆえ、ソールの屈曲が可能になる。これにより、ソールがより可撓性であるので、ソールの屈曲区域における追加のスタッドの改善された牽引力を放棄せずに、足の押し離しがより容易になる。しかしながら、歪み区画の異なる配向性も可能である。配向性は、それぞれのソールの曲げ特性に対して最適化されるであろう。例えば、あるスポーツでは、ソールが横方向における曲がること、およびその区域に１つ以上のスタッドがあることも必要とされるであろう。この場合、歪み区画は、足の横方向のローリングオフ(rolling-off)が、できるだけわずかしか妨げられないようなものであってよい。
【００３１】
ある実施の形態において、第１の歪み区画は実質的に細長い小片の形状を有する。この種の歪み区画は、形成が容易であり、スタッドの他の部分との組立ても容易である。
【００３２】
別の実施の形態において、第１の歪み区画は楔形である。楔形により、足の押し離しのときに、スタッドのアライメントを改善することができる。横から見たときに、楔は、広い方の端部がグラウンドに向いているように配置されることが好ましい。何故ならば、歪み区画の最も外側の部分が、内側部分、すなわち、ソールにより近い部分よりも大きい歪みを経験するからである。これにより、スタッドの特に良好な適応性が可能になり、歪み区画は過剰な応力を経験しない。さらに、それぞれの使用に応じて、歪み区画の他の形状も可能である。
【００３３】
ある実施の形態において、スタッドは、第２の歪み区画および第３のスタッド部分を備え、第２の歪み区画は第２のスタッド部分と第３のスタッド部分を互いに接続し、ソールにスタッドが取り付けられ、ソールが曲げられたときに、第２の歪み区画は歪む。別の歪み区画を追加することによって、ソールの屈曲へのより良好な適応が可能になる。このようにして、足の特に良好な押し離しが、ソールの屈曲区域においても実現することができる。もちろん、スタッドに歪み区域およびスタッド部分をさらに加えることも有益かもしれない。
【００３４】
別の実施の形態において、第１の歪み区画と第２の歪み区画は、互いに実質的に平行に延在する。これにより、スタッドの特に円滑な曲げが可能になる。さらに、第１と第２の歪み区画を互いに垂直に配置することも可能である。それによって、第１の歪み区画が縦軸に対して垂直に配置され、第２の歪み区画が縦軸に平行に配置される。これにより、縦方向と横方向で歪みが可能になる。第２の歪み区画は、ソールに対して並行に、すなわち、スタッド内で水平に配置することもでき、軸方向の緩衝（従来技術から公知のような）が可能になる。また、３つの歪み区画の全ての組合せも可能である。
【００３５】
少なくとも１つの第１の歪み区画と第２の歪み区画が、伸縮性材料から製造された少なくとも１つのリッジ部材を通じて互いに接続されることが好ましい。そのような実施の形態により、単純な組立て（例えば、成型技法を使用して）が可能になり、スタッドはより伸縮性の弾性材料を含むので、さらに、可撓性に影響が与えられる。
【００３６】
少なくとも１つの第１の歪み区画と第２の歪み区画が一体成形されることが好ましい。第１と第２の歪み区画が一工程で組み立てられる。リッジ部材は、第１と第２の歪み区画を互いに接続し得る。例えば、射出成形技法を使用して、スタッドとソールを製造する場合、部材数の少ないほうが有益である。
【００３７】
別の実施の形態において、第１のスタッド部分と第２のスタッド部分および少なくとも１つの第１の歪み区画が一体成形される。第１と第２のスタッド部分は一工程で組み立てられる。そのような組立てにより、構成部材の必要数が都合よく減少する。
【００３８】
追加の実施の形態によれば、本発明は、上述したスタッドを少なくとも１つ備えたソールに関する。そのようなソールは、剛性スタッドを特徴とする従来のソールと比べて、明らかに改善された曲げ特性を提供する。ソールの屈曲区域に１つ以上のスタッドを配置した場合、このことは特に当てはまる。
【００３９】
ソールは少なくとも１つのスタッド受入手段を備え、このスタッド受入手段は少なくとも１つの第３の歪み区画を含むことが好ましい。そのような第３の歪み区画は、ソールの縦方向に対して横切るように延在すれば、ソールの屈曲区域において特に有益である。現代のスタッドは、通常、ソールにボルト留めされておらず、例えば、クリップ機構、ボルト締め、磁気機構または他の機構を使用することにより、またはさらには永久的な接着、成型またはリベット留めによって、特注のスタッド受入手段内に取り付けられる。スタッドは、ソールと一緒に一体成形されてもよい。そのようなスタッド受入手段は、すでにソールに高い剛性をもたらし、したがって、ソールの屈曲を妨げるであろう。したがって、スタッド受入手段に別の歪み区画を追加することによって、ソールの曲げ可撓性をさらに増加させることができる。このことは、スタッド受入手段に取外し可能に取り付けられたスタッド、並びにスタッド受入手段に永久的に取り付けられたスタッドの両方に当てはまる。
【００４０】
第３の歪み区画がスタッド受入手段を超えてソールにまで延在することが好ましい。足の屈曲はソールの全幅に亘るので、足の押し離しを最適に支援し、本発明の上述した利点を利用するために、スタッド受入手段を超えた横方向の第３の歪み区画のさらなる延在が好ましい。しかしながら、本発明による第３の歪み区画の異なる取付けも可能である。これは、例えば、足の押し離し挙動に依存し得る。
【００４１】
好ましい実施の形態において、少なくとも１つの第１の歪み区画と第３の歪み区画は一体成形される。重ねて、このことにより、ソールの製造と組立てが容易になる。
【００４２】
ソールは、スタッドを持たないソールの区域に配置された少なくとも１つの第４の歪み区画を含むことが好ましい。ソールの横方向に１つ以上の第４の歪み区画を取り付けることにより、ソールを背方向に曲げたときに、可撓性をさらに改善することができる。さらに、第４の歪み区画の異なる取付け、例えば、ソールの縦軸の方向の取付けも可能である。縦方向におけるそのような歪み区画も、例えば、第２および第３指節骨の間の、足または前足区域の先端において特に有益である。この歪み区画により、シューズのグラウンドへの適応性が改善され、より大きい安定性が提供される。
【００４３】
さらに好ましい実施の形態において、少なくとも１つの第１の歪み区画、第２の歪み区画、第３の歪み区画および／または第４の歪み区画がソールの屈曲区域に配置されている。典型的に、ソールの改善された可撓性は、屈曲区域、例えば、フォアフット区域のみに必要とされる。もちろん、すでに先に述べたように、歪み区画をソールの異なる位置に取り付けることも有益であろう。
【００４４】
ある実施の形態において、ソール、および第１、第２および第３のスタッド部分と少なくとも１つの歪み区画を含む少なくとも１つのスタッドが、一体成形される。現代の生産技法（例えば、多成分射出成形）を使用して、ソールを異なる材料から製造することもできる。例えば、一方で、第１の材料を第１、第２、第３および／または第４の歪み区画に使用し、他方で、別の材料をスタッドおよび／またはソールの他のスタッド部分に使用することができる。これにより、ソールの製造の複雑さが明らかに低減する。しかしながら、スタッドを交換できるように互いに取外し可能に取り付けられたソールとスタッド内に上述した特徴を提供することも可能である。
【００４５】
最後に、本発明は、上述した実施の形態によるソールを備えたスパイクシューズに関する。本発明によるソールを使用することによって、屈曲区域の可撓性が改善されたスパイクシューズ、特に、サッカーシューズが提供される。さらに、それと同時に、スタッドがよりよい牽引力を提供する。
【００４６】
本発明の以下の態様を、添付の図面を参照して、説明する。
【図面の簡単な説明】
【００４７】
【図１】足の説明図
【図２】２ａ〜２ｄは、いくつかの実施の形態によるソールの底面図
【図３】３ａ〜３ｂは、それぞれ、下からと上からの、スタッドと歪み区画を備えたソールの説明図
【図４】４ａ〜４ｂは、横から見た歪み区画を有するソールの説明図
【図５】５ａ〜５ｂは、スタッドおよび歪み区画を備えたソールの斜視図
【図６】６ａ〜６ｂは、それぞれ、スタッドおよびいくつかの歪み区画を備えたソールの側面図と底面図
【図７】７ａ〜７ｂは、それぞれ、一体成形された歪み区画を含むソールの斜視図および分解斜視図
【図８】８ａ〜８ｄは、スタッドおよび歪み区画を含むいくつかのスパイクシューズの説明図
【発明を実施するための形態】
【００４８】
図１は、ヒトの足１の説明図を示している。指節骨は、足の様々な屈曲区域を画成する。参照番号３および５により２つの線が強調されている。線３は４つの指節骨により画成される屈曲区域を示しており、線５は２つの指節骨により画成される屈曲区域を示している。足を押し離すとき、つま先が曲げられ、線３および５が屈曲区域を示す。全体として、屈曲区域９は、線３と５両方の全区域に亘り延在する。
【００４９】
図２ａ〜２ｄは、歪み区域を備えたスタッドおよびソールの設計の可能な実施の形態の選択を示している。例えば、図２ａは、多数のスタッド受入手段２２およびスタッド２４を有するソール２０を示している。歪み区画２６，５３，６２が、スタッド２４のいくつかを通って、スタッド受入手段２２またはソールに延在している。歪み区画２６，５３，６２は、足の背側の動きにおける小さな歪みをもたらし、したがって、足の改善され、より可撓性のある押し離しをもたらす。歪み区画２６，５３，６２は、一般にソール２０の縦軸に対して垂直に延在するように配置される。足の構造（図１参照）のために、歪み区画２６，５３，６２は、ソール２０の縦軸に対して様々な角度で配置されてもよい。これが例示の図２ａ〜２ｄに示されている。図２ｃには、スタッド２４またはスタッド受入手段２２のいくつかが歪み区画２６，６２を含まないことを明らかに示している。これは、特に、ソールの踵区域に配置されたスタッド（図示せず）だけでなく、親指の区域に配置されたスタッドに関する場合である。そのようなスタッドは加速のために使用され、それゆえ、歪み区画２６，５３，６２は必要ないであろう。
【００５０】
図３ａ〜３ｂは、それぞれ、下からと上から見た本発明によるソール２０を示している。このソールは、部分的に歪み区画２６，５３，６２を含むいくつかのスタッド２４を備えている。スタッドおよびソールの一部に亘り延在する１つの歪み区画６２がこれらの図に明らかに見える。これらの図面において、歪み区画２６，５３，６２はソール２０の屈曲区域内に配置されており、この区域は、主に高い可撓性を必要とするソール２０の区域である。最適な屈曲、したがって可撓性を達成するために、歪み区画２６，５３，６２は足の構造に適応されている。さらに、図３ａ〜３ｂは、ソール２０の屈曲区域に第４の歪み区画５３を示しており、この歪み区画は、スタッド２４もスタッド受入手段２２も通って延在していない。それらの歪み区画も足の構造に適応されている。図３ａおよび３ｂは、２つの視点から同じソール２０を示している。それゆえ、図示された実施の形態の歪み区画２６，５３，６２が、ソール２０を通って、すなわち、上側から下側まで延在するのが明らかになる。この実施の形態において、歪み区画２６，５３，６２は、足の屈曲区域に最適に適合するように、扇状（３本の「細長い小片」）である。内側の曲げ半径が外側の曲げ半径より小さいので、扇は内側から外側まで延在する。言い換えれば、細長い小片間の距離は、内側でより外側でのほうが大きい。さらに、縦方向にソール２０を安定化させるための縦溝２５がある。さらに歪み区画２６，５３，６２の間の中断部３０により、ソール２０の安定性が増す。射出成形技法を使用してソール２０を製造することが好ましい。ソール２０の全幅に亘り延在せず、中断部３０を含む歪み区画２６，５３の有利な配置により、例えば、多成分射出成形を使用して、一工程で単純に製造することができる。中断部３０を使用することにより、ソール２０の材料の流れを中断する必要がない。さらに、この実施の形態は、踵区域と親指区域に歪み区画２６，６２を含まないスタッド２４を示している。その上、それぞれの要件に応じて、歪み区画２６，５３，６２は様々に延在して差し支えない。
【００５１】
スタッド２４または歪み区画２６，５３，６２の材料、配置および寸法は可撓性に影響を及ぼす。このことは、それぞれの歪み区画の構造にも当てはまる。例えば、穿孔または他の材料の弱化により、材料を伸縮させ、その結果、歪み区画を形成しても差し支えない。さらに可能性のある構造としては、蛇腹に似た実施の形態が挙げられる。それによって、蛇腹は、力の影響下で伸縮し得る。ソール２０、スタッド２４および／またはスタッド受入手段２２並びに歪み区画は、二成分または多成分射出成形を使用して製造してもよい。ソール２０、スタッド受入手段２２、歪み区画およびスタッド２４に三成分を使用することが好ましい。ソール２０とスタッド受入手段２２は、通常、同じ材料から製造される。使用可能な成分は、様々な硬度および弾性の熱可塑性エラストマー（ＴＰＥ、ＴＰＵ）、ポリアミドまたはポリエーテルブロックアミド（ＰＥＢＡ）であってよい。さらに、不安定感を避けるために、それぞれの成分は軟らかすぎるべきではない。さらに、スタッド２４および歪み区画２６，５３，６２は、それぞれ異なる混合物においてＴＰＥ、ＴＰＵまたはＰＥＢＡなどの同じ材料から製造して、異なる材料特性をもたらしてもよい。類似の材料が特に良好な複合材を提供する。歪み区画２６，５３，６２の外側の区域の安定性を増加させるために、繊維強化複合材料を使用しても差し支えない。あるいは、第１、第２、第３または第４の歪み区画の１つ以上を第１の工程で製造し、次いで、成形型内に配置し、ソール２０およびスタッド２４をこれらの歪み区画２６，５３，６２の周りに射出成形しても差し支えない。さらに、歪み区画、スタッド２４およびソール２０の全ての部材を第１の工程で別々に製造し、次いで、その後の第２の工程において組み立てても差し支えない。可能性のある方法は、接着、レーザ溶接または超音波溶接または取外しできる機械的接続であってよい。
【００５２】
２つの製造方法が特に好ましい。最初に、スタッドをＴＰＵから製造し、成形型内に配置する。歪み区画の材料を第２の工程において製造する。これは、別々に行っても、連続して行っても差し支えない。次いで、歪み区画を挿入するか、または直接射出成形しても差し支えない。スタッド区域および歪み区画は、最終的に、ソールのＴＰＵまたはＰＡにより射出成形される。さらに別の選択肢は、スタッド区域を最初に形成し、次いで、ソールを形成し、最後に、歪み区画をそれぞれの窪みに挿入することであろう。
【００５３】
図４ａ〜４ｂは、スタッド受入手段２２を含むソール２０の実施の形態の側面図を示している。この実施の形態において、歪み区画２６は細長い小片状である。さらに、スタッド受入手段を超えて延在する第３の歪み区画６２が示されている。スタッド２４の可撓性は、予測される動作に対して調節されるであろう。さらに、ソール２０に取り付けられたスタッド２４の全てが、同じ形状を有する必要はない。
【００５４】
図５ａ〜５ｂは、本発明によるソール２０の詳細を示している。スタッド２４自体を超えて延在する第３の歪み区画６２が、第１の歪み区画に加えて、明らかに見える。また、この実施の形態において、歪み区画２６は細長い小片状である。さらに、このソール２０は、ソール２０の屈曲区域に歪み区画５３を備え、この歪み区画５３はスタッド２４を通って延在していない。さらに、第１のスタッド部分５０、第２のスタッド部分５２および図示された両方のスタッド部分５０，５２を接続する歪み区画２６がある。
【００５５】
図６ａ〜６ｂは、スタッド受入手段２２を介してソール２０に取り付けられたスタッド２４の側面図と底面図を示している。この例において、スタッド２４は、３つの第１と第２の歪み区画６０，６１を備えている。スタッド受入手段２２はさらに、３つの第３の歪み区画６２を備えている。第３の歪み区画６２は、スタッド受入手段２２を超えてソール２０中に延在している。スタッド２４の歪み区画６０，６１およびスタッド受入手段２２の歪み区画６２は一体成形することができる。しかしながら、これらの歪み区画を別々に形成することも可能である。全てのスタッドが同じ数の歪み区画を有する必要はない。これは、位置と特別な要件に依存するであろう。
【００５６】
図７ａ〜７ｂは、第１の歪み区画７０および第２の歪み区画７２を備えた、スタッド受入手段２２およびスタッド２４を含むソール２０の一部を示している。この実施の形態において、歪み区画７０，７２は、楔状であり、リッジ部材７９を介して接続されている。これにより、一工程で歪み区画７０，７２をより容易に組み立てることができる。さらに、スタッドは、第１のスタッド部分５０、第２のスタッド部分５２および第３のスタッド部分５４を備えている。これにより、１つの製造工程でのより容易な製造および組立てが可能になる。図示された歪み区画７０，７２は、別々に製造された（例えば、射出成形技法を使用して）ソール２０またはスタッド受入手段２２およびスタッド２４に挿入し、次いで、そこに固定しても差し支えない。
【００５７】
図８ａ〜８ｄは、様々に配置された歪み区画２６，５３を有するスパイクシューズ８０を示している。歪み区画２６は、スタッド２４を超えてソール２０中に延在しているが、ソールの全幅には亘っていない。しかしながら、これは制限ではない。それぞれの使用に応じて、ソールの全幅に亘り延在する歪み区画２６，５３が有益かもしれない。歪み区画２６，５３は、背方向に動かされたときに、足の押し離し区域に対応するように配置されている。特に図８ｃおよび８ｄにおいて、足を押し離しするときの歪み区域がはっきりと見える。足の押し離し中に、スタッドの最も外側の部分は、ソールに近い部分よりも大きな歪みを経験する。この作用が、例えば、図８ｃおよび８ｄに示されている。歪み区画２６，５３は、足の押し離しのために、下端でより強力に曲げられる。これにより、楔形を有する歪み区画がもたらされ得る。しかしながら、図８ａおよび８ｂに示された歪み区画２６，５３は、既に、緩和状態で細長い小片状または楔形であっても差し支えない。
【００５８】
さらに、歪み区画の歪みを剛性の材料片の使用により制限することも可能である。この材料片は、完全停止を形成し、それゆえ、歪みを制限する。この材料片は、棒状であり、スタッドのドリル孔内に取外し可能にまたは後から取り付けられるように配置しても差し支えない。このドリル孔は、シューズの縦方向に向けられることが好ましい。
【符号の説明】
【００５９】
１    足
３    曲げ軸による第１の線
５    曲げ軸による第２の線
９    屈曲区域
２０    ソール
２２    スタッド受入手段
２４    スタッド
２５    縦の溝
２６，６０，７０    第１の歪み区画
３０    中断部
５０    第１のスタッド部分
５２    第２のスタッド部分
５３    第４の歪み区画
５４    第３のスタッド部分
６１，７２    第２の歪み区画
６２    第３の歪み区画
７９    リッジ部材
８０    スパイクシューズ
【図１】
0005681068.tif 000002
【図２】
0005681068.tif 000003
【図３】
0005681068.tif 000004
【図４】
0005681068.tif 000005
【図５】
0005681068.tif 000006
【図６】
0005681068.tif 000007
【図７】
0005681068.tif 000008
【図８】
0005681068.tif 000009